(57)【要約】      （修正有）【課題】海上での作業を簡素化し、施工性に優れた杭支持構造物の補強方法を提供する。【解決手段】杭支持構造物の補強方法は、上部工７より下の位置で杭４の外周に杭固定体１０を固定するとともに、上部工７に複数の定着用部材１４，１４を固定し、複数の補強部材１８，１８の一端を杭固定体１０に定着させるとともに、他端をそれぞれ各定着用部材１４，１４に定着させることによって、海上での作業を簡素化し、効率よく杭支持構造物１を補強することができる。【選択図】図１
2020133162.tif 000002
【特許請求の範囲】
【請求項１】
杭頭部が上部工に接合されている杭支持構造物の補強方法において、
前記上部工より下の位置で杭の外周に杭固定体を固定するとともに、前記上部工に複数の定着用部材を固定し、複数の補強部材の一端を前記杭固定体に定着させるとともに、前記複数の補強部材の他端をそれぞれ前記各定着用部材に定着させることを特徴とする杭支持構造物の補強方法。
【請求項２】
前記各定着用部材は、前記上部工の梁部側面に固定されている請求項１に記載の杭支持構造物の補強方法。
【請求項３】
前記補強部材は、引張荷重及び圧縮荷重を負担し得る棒状補強部材である請求項１又は２に記載の杭支持構造物の補強方法。
【請求項４】
前記補強部材は、引張荷重を負担し得る棒状補強部材又は線状補強部材である請求項１又は２に記載の杭支持構造物の補強方法。
【請求項５】
前記杭固定体の内側に充填材を打設し、前記杭固定体と前記杭とを一体化させる請求項１〜４の何れか一に記載の杭支持構造物の補強方法。
【発明の詳細な説明】
【技術分野】
【０００１】
本発明は、塩害等によって劣化した桟橋等の杭支持構造物を補強する杭支持構造物の補強方法に関する。
【背景技術】
【０００２】
一般に、桟橋は、水底に立設された複数の鋼管杭の杭頭部がコンクリート梁（上部工）に剛結合され、当該鋼管杭とコンクリート梁とによってラーメン構造を成している。
【０００３】
このコンクリート梁に連結される鋼管杭の杭頭部は、スプラッシュゾーンと呼ばれる飛沫帯になっており、常に水面上において飛沫に晒され、繰り返し押し寄せる波浪の飛沫によって塩化物イオン等の塩害因子が杭頭部及びその付近のコンクリート部分に付着する。
【０００４】
この付着した塩害因子は、鋼管杭の杭頭部付近の腐食を生じさせるとともに、上部工を構成するコンクリート内に浸入し、鉄筋や支柱等の鋼製部材を腐食させ、上部工体を劣化させる被害、即ち、塩害の原因となっていた。
【０００５】
そこで、従来、このような飛沫帯にある杭頭部には、モルタル被膜あるいは重防食（エポキシ樹脂，ウレタン樹脂）と呼ばれる防食処理を施し、塩害の進行を防止している（例えば、特許文献１を参照）。
【０００６】
しかしながら、このような防食被膜は、長年の経年劣化や付着した海洋生物の落下に伴って損傷するため、その効果は恒久的に継続せず、鋼管杭の杭頭部及びその付近のコンクリート部分に腐食が生じていた。
【０００７】
そこで、このような杭頭付近の腐食に対しては，被りコンクリートの劣化部をはつり取り、その部分をモルタル等の補修材で補修するとともに、既存鉄筋の断面が大きく減少している場合には、あらたに鉄筋を添えて補強していた。
【０００８】
また、鋼管杭に関しては、劣化した被膜や錆をそぎ落とし、耐力上必要な肉厚に満たない場合には鋼板や鉄筋コンクリートを巻きたてるなどの補強を行った上で新たに被膜防食を設けていた（例えば、特許文献２を参照）。
【先行技術文献】
【特許文献】
【０００９】
【特許文献１】特開２０００−１５７９２９号公報
【特許文献２】特開２０００−３３６８１３号公報
【発明の概要】
【発明が解決しようとする課題】
【００１０】
飛沫帯における腐食劣化は、鋼管杭及びその付近のコンクリート部分とで同時に進行している場合が多く、また、設計における杭頭部の剛結条件は、鋼管杭とコンクリート梁の両者が相互に関係していることから、鋼管杭の杭頭部とその付近のコンクリート部分とを一体的に補強することが望ましい。
【００１１】
しかしながら、上述の如き従来の技術では、鋼管杭頭部又はその付近のコンクリート部分の腐食が発生した部分毎に補修しているに過ぎなかった。
【００１２】
また、この種の補強作業は、水面際で行われるため、海上での作業を極力簡素化することが望ましい。
【００１３】
さらには、鋼管杭に鉄筋コンクリートを巻きたてる方法では、鉄筋を既設の上部工に貫通させて鋼管杭と上部工との一体化を図る必要があるが、鋼管杭の上部工に埋設された部分に鍔状に突設された鍔プレートが鉄筋に干渉するため施工性が著しく低下するという問題があった。
【００１４】
そこで、本発明は、このような従来の問題に鑑み、海上での作業を簡素化し、施工性に優れた杭支持構造物の補強方法の提供を目的としてなされたものである。
【課題を解決するための手段】
【００１５】
上述の如き従来の問題を解決するための請求項1に記載の発明の特徴は、杭頭部が上部工に接合されている杭支持構造物の補強方法において、前記上部工より下の位置で杭の外周に杭固定体を固定するとともに、前記上部工に複数の定着用部材を固定し、複数の補強部材の一端を前記杭固定体に定着させるとともに、前記複数の補強部材の他端をそれぞれ前記各定着用部材に定着させることにある。
【００１６】
請求項２に記載の発明の特徴は、請求項１の構成に加え、前記各定着用部材は、前記上部工の梁部側面に固定されていることにある。
【００１７】
請求項３に記載の発明の特徴は、請求項１又は２の構成に加え、前記補強部材は、引張荷重及び圧縮荷重を負担し得る棒状補強部材であることにある。
【００１８】
請求項４に記載の発明の特徴は、請求項１又は２の構成に加え、前記補強部材は、引張荷重を負担し得る棒状補強部材又は線状補強部材であることにある。
【００１９】
請求項５に記載の発明の特徴は、請求項１〜４の何れか一の構成に加え、前記杭固定体の内側に充填材を打設し、前記杭固定体と前記杭とを一体化させることにある。
【発明の効果】
【００２０】
本発明に係る杭支持構造物の補強方法は、請求項１に記載の構成を具備することによって、海上での作業を簡素化し、効率よく杭支持構造物を補強することができる。
【００２１】
また、本発明において、請求項２に記載の構成を具備することによって、杭に突設された鍔状プレートとの干渉を回避し、施工性に優れる。
【００２２】
また、本発明において、請求項３又は４に記載の構成を具備することによって、補強対象箇所の状況に合わせて補強部材を適宜選択し、効率よく杭支持構造物を補強することができる。
【００２３】
さらに、本発明において、請求項５に記載の構成を具備することによって、腐食により薄肉化した杭の補強とともに、杭固定体を杭に堅固に固定することができる。
【図面の簡単な説明】
【００２４】
【図１】本発明に係る杭支持構造物の補強方法によって補強された杭支持構造物の一例を示す正面図である。
【図２】同上の補強前の状態を示す部分拡大正面図である。
【図３】本発明に係る杭支持構造物の補強方法における杭固定体の取り付け作業の状態を示す底面図である。
【図４】同上の杭固定体を取り付けた状態を示す部分拡大正面図である。
【図５】同上の定着用部材を取り付けた状態を示す部分拡大正面図である。
【図６】同上の補強部材を取り付けた状態を示す部分拡大正面図である。
【図７】同上の底面図である。
【図８】同上の斜視図である。
【図９】同上の補強部材の定着部の状態を示す拡大正面図である。
【図１０】本発明に係る杭支持構造物の補強方法の効果を確認するための試験に使用する装置を示す正面図である。
【図１１】同上の載荷試験の結果を示すグラフである。
【発明を実施するための形態】
【００２５】
次に、本発明に係る杭支持構造物の補強方法の実施態様を図１〜図１１に示した実施例に基づいて説明する。図１は、本発明によって補強された杭支持構造物の一例を示し、図中符号１は桟橋等の杭支持構造物、符号２は水面である。
【００２６】
杭支持構造物１は、図１、図２に示すように、水底地盤３に打設された複数の鋼管杭４，４…と、鋼管杭４，４…に支持された鉄筋９，９…コンクリート造の梁部５とを備え、梁部５上に床版部６が形成され、梁部５と床版部６とで桟橋の上部工７を成している。尚、水底地盤３は、図１のような水平な地盤に限定されず、傾斜した地盤であってもよい。
【００２７】
鋼管杭４，４…は、梁部５に埋設される杭頭部の外周に突設された鍔状プレート８，８を備え、鍔状プレート８，８に鉄筋９，９…の端部が固定され、鉄筋９，９…を介してコンクリート製の梁部５と一体化されている。
【００２８】
この杭支持構造物１を補強するには、先ず、上部工７の腐食したコンクリート部分を斫り取って除去し、鉄筋９，９…の状態を確認する。
【００２９】
次に、鉄筋９，９…の状態に応じて、当該鉄筋９，９…を研磨或いは補強用の鉄筋（図示せず）を継ぎ足した上で防錆処理を施す。
【００３０】
そして、コンクリートを斫り取った部分に補修用のコンクリート又はモルタル等の補修材を打設し、上部工７の下面部や側面部を補修する。
【００３１】
次に、図３，図４に示すように、上部工７下面より一定の距離をおいた位置に杭固定体１０を鋼管杭４，４…に取り付ける。
【００３２】
杭固定体１０は、半割筒状に形成された半割体１０ａ，１０ａによって構成され、半割体１０ａ，１０ａの両側縁に形成された締結用のフランジ１１，１１を重ね合わせボルト締めすることにより、鋼管杭４，４…の外周に巻き付けられるようになっている。尚、符号１２はボルトである。
【００３３】
各半割体１０ａ，１０ａには、それぞれ外周面に一対の定着体１３，１３が対称配置に溶接等によって固定されており、杭固定体１０を鋼管杭４所定の位置に固定することによって後述する定着用部材１４と対応する位置に各定着体１３，１３が配置されるようになっている。
【００３４】
定着体１３，１３は、中央に挿通孔１５を有する板状の定着板１３ａと、定着板１３ａの両側縁より垂直に突出した補強板１３ｂ，１３ｂとをもってコ字状に形成され、コ字状の開口側がそれぞれ所定の角度で外側に向くように各半割体１０ａ，１０ａの外周面に固定されている。尚、定着体１３の形状は、本実施例のようにコ字状に限定されず、定着が可能な形状であればよい。
【００３５】
また、半割体１０ａの内側及び鋼管杭４の外側には、必要に応じてシアキー等の突起（図示せず）が溶接等によって固定されていてもよい。
【００３６】
この杭固定体１０は、鋼管杭４，４…の状態によって取り付け位置が異なり、例えば、鋼管杭４，４…の一部に座屈が生じている場合には、上部工７下面より一定の距離をおき、当該座屈部分の下側に固定される。尚、本実施例では、杭固定体１０を水面２よりも高い位置に設置した例を示しているが、水面２より下に設置してもよく、また、干潮により水面２が杭固定体１０に対し上下することもありうる。
【００３７】
また、鋼管杭４を構成する鋼材の肉厚が腐食によって減少している場合には、杭固定体１０と鋼管杭４との間にセメントやモルタル等の充填材１６が充填され、充填材１６を介して鋼管杭４と杭固定体１０とを一体化させることにより、腐食部分を補強するようになっている。
【００３８】
尚、この場合には、半割体１０ａの内側にシアキー等の突起を設けておくことが望ましく、必要に応じて鋼管杭４側にシアキー等の突起を設けておいてもよい。
【００３９】
次に、図５に示すように、上部工７の梁部５側面に杭頭部に対して対称配置に複数（本実施例では、梁部５の表裏にそれぞれ一対）の定着用部材１４，１４を固定する。
【００４０】
定着用部材１４は、鋼板等からなる板状に形成され、上部工７の梁部５側面にボルト１７，１７…によって強固に固定されるようになっている。
【００４１】
各定着用部材１４には、表面に定着体１３が溶接等によって固定されている。
【００４２】
定着体１３は、杭固定体に固定された定着体１３と同様に構成され、中央に挿通孔１５を有する板状の定着板１３ａと、定着板１３ａの両側縁より垂直に突出した補強板とをもってコ字状に形成され、定着板１３ａが杭固定体１０に固定された定着体１３，１３の定着板１３ａの互いに対向するように所定の角度で固定されている。尚、定着体１３の形状は、本実施例のようにコ字状に限定されず、定着が可能な形状であればよい。
【００４３】
次に、図６〜図８に示すように、補強部材１８の両端をそれぞれ杭固定体１０の定着体１３，１３及び定着用部材１４の定着体１３に挿通させ、補強部材１８の一端を杭固定体１０に定着させるとともに、複数の補強部材１８の他端をそれぞれ各定着用部材１４に定着させる。
【００４４】
補強部材１８には、鋼棒等の引張荷重及び圧縮荷重を負担し得る棒状の棒状補強部材又はＰＣケーブルや炭素繊維ケーブル、ワイヤーなどからなる引張荷重を負担し得る線状又は綱状の線状補強部材を補強箇所の状況や想定される外力と梁部５や鋼管杭４の強度との関係等を勘案して適宜選択して使用する。
【００４５】
例えば、梁部５と鋼管杭４の耐力、梁部５内の配筋状況を検討し、梁部５や鋼管杭４の強度が高く、想定される外力に対して補強部材１８を介して引張荷重及び圧縮荷重が作用しても負担し得る状態にある場合には、引張荷重及び圧縮荷重を負担し得る棒状補強部材を選択することができ、梁部５や鋼管杭４の負担を引張荷重のみとした方が梁部５や鋼管杭４にとって良い場合には、引張荷重を負担し得る状態の補強部材１８を選択する。
【００４６】
この補強部材１８は、両端に雄ねじ部１８ａを備え、棒状補強部材によって引張荷重及び圧縮荷重を負担する場合、図９（ａ）に示すように、雄ねじ部１８ａを定着体１３の定着板１３ａの挿通孔１５に挿通させ、定着板１３ａの両側よりナット１９，１９を締め付けることによって定着し、棒状補強部材又は線状補強部材によって引張荷重を負担する場合には、図９（ｂ）に示すように、補強部材１８の先端側よりナット１９を締め付けて定着板１３ａに定着する。その際、補強部材１８には、ナット１９の締め付け具合によって、所望の張力を付与することができる。尚、図中符号２０は、保護用キャップである。
【００４７】
この杭支持構造物１は、上部工７に外力が作用すると、補強部材１８に引張荷重又は圧縮荷重が作用し、各補強部材１８が荷重に対抗するようになる。例えば、線状補強部材を使用した場合には、図６中矢印の方向に外力が作用すると、図６中矢印示したように一方の補強部材１８に引張荷重が作用し、これに対抗するようになっている。
【００４８】
次に、この補強された杭支持構造物の補強効果に関する載荷試験について説明する。尚、上述の実施例と同様の構成には同一符号を付して説明する。
【００４９】
図１０は、試験装置の概略を示し、上部工７の鉄筋９，９…が腐食している試験体を、上部工７を下側にして鋼管杭４を上向きにした状態で配置し、上部工７を地面に台座２１，２１を介して固定した状態で、油圧シリンダからなる載荷装置２２によって鋼管杭４の上端に荷重を載荷させ、本発明に係る補強方法で補強した場合と補強しなかった場合について比較した。
【００５０】
載荷は、正負（紙面上の左右）繰り返し載荷とし、載荷荷重は漸増荷重とした。繰り返し載荷は、鋼管杭が降伏に至る変位δｙを基本とし、+δy→-δy→+2δy→-2δy→+3δy→-3δy→+4δy→-4δyの順で載荷をそれぞれ３サイクル繰り返した。
【００５１】
その結果を図１１に示す。横軸は載荷変位で、縦軸はその変位における荷重である。縦軸の荷重が大きいほど、その模型の耐力が大きいことを示しており、補強を行った試験体の方が荷重が大きく、耐力が大きいことがわかる。
【００５２】
このように構成された杭支持構造物１の補強方法は、杭固定体１０、定着用部材１４及び補強部材１８をそれぞれ取り付けることによって補強するため、各部材１０，１４，１８の運搬が容易であり、設置作業に重機等を使用せずとも作業を行うことができ、海上での作業を簡素化でき、効率よく杭支持構造物１を補強することができる。
【００５３】
また、各部材１０，１４，１８の取り付け作業には、熟練工による特別な技術を用いることなく行うことができる。
【００５４】
さらに、この補強方法は、定着用部材１４を上部工７内に埋設された杭頭部に突設された鍔状プレート８，８より上に位置する上部工７梁部５の側面に固定するので、作業員が正面を向いて作業することができ、且つ、鍔状プレート８，８と干渉することがなく、施工性に優れている。また、上部工７の梁部５側面は、梁部５の底面に比べて劣化進行が遅く、長期的に補強効果が継続される。
【００５５】
さらにまた、本補強方法では、補強部材１８に鋼棒等の引張荷重及び圧縮荷重を負担し得る棒状の棒状補強部材又はＰＣケーブルや炭素繊維ケーブル、ワイヤーなどからなる引張荷重を負担し得る線状又は綱状の線状補強部材を適宜選択して使用することによって、想定される外力と上部工梁部５及び鋼管杭４の強度との関係、例えば、梁部５と鋼管杭４の耐力、梁部５内の鉄筋の配筋状況、或いは、補強箇所の状況、例えば、上部工７の位置に対する杭の位置等を勘案して的確な補強を行うことができる。
【００５６】
尚、上述の実施例では、定着用部材１４を上部工７の梁部５側面に固定した例ついて説明したが、定着用部材１４を梁部５底面の杭頭部に対して対称な位置に固定してもよく、梁部５の側面に固定した定着用部材１４と梁部５の底面に固定した定着用部材１４とを併用してもよい。
【００５７】
また、上述の実施例では、定着用部材１４を上部工７の杭頭部に対して対称な位置に設置する例について説明したが、各定着用部材１４の固定位置は、これに限定されず、例えば、複数の定着用部材１４，１４が杭頭部を中心にして水平方向で互いに所定の角度を成す配置としてもよく、また、各定着用部材１４と杭頭部との距離を違えるようにしてもよい。
【００５８】
さらに、上述の実施例では、杭固定体１０を互いに独立した一対の半割体１０ａ，１０ａをボルト１２によって接合する例について説明したが、杭固定体１０の態様はこれに限定されず、例えば、両半割体１０ａ，１０ａの一方の側縁が蝶番によって回動可能に連結され、鋼管杭４に巻き付けた後、他方の側縁部をボルト１２によって接合するようにしてもよい。
【符号の説明】
【００５９】
１  杭支持構造物
２  水面
３  水底地盤
４  鋼管杭
５  梁部
６  床版部
７  上部工
８  鍔状プレート
９  鉄筋
１０  杭固定体
１１  フランジ
１２  ボルト
１３  定着体
１４  定着用部材
１５  挿通孔
１６  充填材
１７  ボルト
１８  補強部材
１９  ナット
２０  保護用キャップ
２１  台座
２２  載荷装置
【図１】
2020133162.tif 000003
【図２】
2020133162.tif 000004
【図３】
2020133162.tif 000005
【図４】
2020133162.tif 000006
【図５】
2020133162.tif 000007
【図６】
2020133162.tif 000008
【図７】
2020133162.tif 000009
【図８】
2020133162.tif 000010
【図９】
2020133162.tif 000011
【図１０】
2020133162.tif 000012
【図１１】
2020133162.tif 000013